(57)【特許請求の範囲】
【請求項１】
温度差に応じて電力を発生する熱電気変換手段と、この熱電気変換手段に熱を与える燃焼手段と、前記熱電気変換手段を介して伝わる熱により熱媒と熱交換する熱交換手段と、前記熱電気変換手段の発生電力により駆動して熱媒を搬送する熱媒強制循環手段と、熱媒を循環させて放熱する放熱手段と、前記熱媒強制循環手段、前記熱交換手段、前記放熱手段を順に接続して熱媒を循環させる熱媒通路と、前記燃焼手段への燃料を供給するガス供給手段と、温度が所定値を境に吸磁力が増減するフェライトに磁石を吸着・離脱させてガス通路を開閉するガス供給開閉手段と、伝熱部材を介して、前記熱媒通路と接触伝熱させて前記ガス供給開閉手段を設けた部分の温度を変化させ、調節する温度を可変する場合には、操作により前記接触伝熱する面積を可変することで、熱媒の調節温度を可変させることができる温調可変機構を備えた熱搬送装置。
【請求項２】
伝熱部材を介してガス供給開閉手段を設けた部分と熱媒通路との間を伝熱する最小熱量の状態を最低制御温度とし、最大熱量の状態を最高制御温度として前記ガス供給開閉手段のガス通路を開閉する請求項１記載の熱搬送装置。
【請求項３】
温度差に応じて電力を発生する熱電気変換手段と、この熱電気変換手段に熱を与える燃焼手段と、前記熱電気変換手段を介して伝わる熱により熱媒と熱交換する熱交換手段と、前記熱電気変換手段の発生電力により駆動して熱媒を搬送する熱媒強制循環手段と、熱媒を循環させて放熱する放熱手段と、前記熱媒強制循環手段、前記熱交換手段、前記放熱手段を順に接続して熱媒を循環させる熱媒通路と、前記燃焼手段への燃料を供給するガス供給手段と、温度が所定値を境に吸磁力が増減するフェライトに磁石を吸着・離脱させてガス通路を開閉するガス供給開閉手段と、操作により前記燃焼手段のガス供給開閉手段を設けた部分と前記燃焼手段の下流側の高温燃焼している部分との間を、伝熱部材を移動させて接触伝熱する面積が可変することで、ガス供給開閉手段を設けた部分の温度を調節し、熱媒の調節温度を可変させることができる温調可変機構を備えた熱搬送装置。
【請求項４】
温調可変機構は接触伝熱する最小熱量の状態で、熱媒温度を最高制御温度とし、最大熱量の状態で、熱媒温度を最低制御温度とした請求項３記載の熱搬送装置。
【請求項５】
温度差に応じて電力を発生する熱電気変換手段と、この熱電気変換手段に熱を与える燃焼手段と、前記熱電気変換手段を介して伝わる熱により熱媒と熱交換する熱交換手段と、前記熱電気変換手段の発生電力により駆動して熱媒を搬送する熱媒強制循環手段と、熱媒を循環させて放熱する放熱手段と、前記熱媒強制循環手段、前記熱交換手段、前記放熱手段を順に接続して熱媒を循環させる熱媒通路と、前記燃焼手段への燃料を供給するガス供給手段と、温度が所定値を境に吸磁力が増減するフェライトに磁石を吸着・離脱させてガス通路を開閉するガス供給開閉手段と、前記ガス供給開閉手段を設けた部分に設け、熱媒と熱交換させる熱媒通路の熱媒分流通路と、この熱媒分流通路への熱媒分流量を調節する分流量調節手段を備え、前記分流量調節手段を操作することにより、前記熱媒分流通路を流れる熱媒量が可変し、熱媒分流通路の熱媒に吸熱させる熱量を可変して熱媒の調節温度を可変させることができる熱搬送装置。
【請求項６】
分流量調節手段は熱媒分流通路への熱媒分流量が最小の状態で、熱媒温度を最低制御温度とし、熱媒分流量が最大の状態で、熱媒温度を最高制御温度とした請求項５記載の熱搬送装置。
【請求項７】
温度差に応じて電力を発生する熱電気変換手段と、この熱電気変換手段に熱を与える燃焼手段と、前記熱電気変換手段を介して伝わる熱により熱媒と熱交換する熱交換手段と、前記熱電気変換手段の発生電力により駆動して熱媒を搬送する熱媒強制循環手段と、熱媒を循環させて放熱する放熱手段と、前記熱媒強制循環手段、前記熱交換手段、前記放熱手段を順に接続して熱媒を循環させる熱媒通路と、前記燃焼手段への燃料を供給するガス供給手段と、温度が所定値を境に吸磁力が増減するフェライトに磁石を吸着・離脱させてガス通路を開閉するガス供給開閉手段と、前記ガス供給開閉手段を設けた部分と接触しながら移動させてこのガス供給開閉手段を設けた部分の温度を上下させる温調熱媒通路と、この温調熱媒通路を移動させる温調可変機構を備え、前記温調可変機構で、燃焼手段のガス供給開閉手段を設けた部分から温調熱媒通路に接触伝熱する面積を変えることで、熱媒の調節温度を可変させることができる熱搬送装置。
【請求項８】
温調熱媒通路は燃焼手段のガス供給開閉手段を設けた部分と熱交換する最小熱量の状態で、熱媒温度を最低制御温度とし、最大熱量の状態で、熱媒温度を最高制御温度とした請求項７記載の熱搬送装置。
【発明の詳細な説明】
【０００１】
【発明の属する技術分野】
本発明は可搬性の、熱媒の温度調節機能を有する燃焼熱の熱搬送装置に関する。
【０００２】
【従来の技術】
従来、この種の熱搬送装置は、図９に示すように，温度差に応じて電力を発生する熱電気変換手段１と、この熱電気変換手段１に熱を与える燃焼手段２と、熱電気変換手段１を介して伝わる熱により熱媒と熱交換する熱交換手段３と、熱電気変換手段１の発生電力により駆動して熱媒を搬送する熱媒強制循環手段４と、熱交換手段３で熱交換した熱媒を循環させて放熱する放熱手段５と、熱媒強制循環手段４、熱交換手段３、放熱手段５を順に接続して熱媒を循環させる熱媒通路６と、燃焼手段２への燃料となるガスを供給するガス供給手段７と、このガス供給手段７に接続したガスボンベと、このガス供給手段７から燃焼手段２へのガス通路８の間に設けられ、ガスの供給を開閉する温度調節用ガス開閉器９と、燃焼手段２の温度により形状が変位する温度バイメタル１０と、この温度バイメタルの１０変位力で温度調節用ガス開閉器９を開閉させ、さらにその変位距離を調節できる温度調節設定手段１１を有する温度調節機構１２とから構成されていた。
【０００３】
この構成における動作、作用について説明する。運転操作を行うとガスボンベとガス供給手段７からガスが供給され、同時に点火が行われ、燃焼手段２が燃焼を開始する。そこで熱電気変換手段１が温度差に応じて電力を発生し、熱媒強制循環手段４に電力が供給され、熱媒が搬送される。そこで、燃焼手段２の燃焼熱を熱交換手段３が受熱し、熱媒強制循環手段４で搬送された熱媒と熱交換する。さらに熱媒は放熱手段５を循環し放熱して熱媒強制循環手段４から熱交換手段３に戻る。そして熱媒の温度が上昇すると、燃焼手段２の温度も上昇して温度バイメタル１０が変位し、この変位力により温度調節用ガス開閉器９は閉じられる。温度調節用ガス開閉器９が閉じられると、ガスの供給が停止されるため、燃焼手段２が燃焼を停止する。熱媒の温度が下降すると、燃焼手段２の温度も下降して温度バイメタル１０が前とは逆に変位し、この変位力で温度調節用ガス開閉器９が開かれる。温度調節用ガス開閉器９が開かれると、ガスの供給が再開されるため、燃焼手段２が燃焼を再開する。さらに、熱媒の温度調節設定手段１１を操作しての温度調節機構１２を調節させると温度バイメタル１０と温度調節用ガス開閉器９の相対距離が変化して変位距離を調節できるため、熱媒の調節温度が可変できる。このようにして熱媒の温度調節が行われていた。
【０００４】
【発明が解決しようとする課題】
しかしながら上記のような従来の装置では、燃焼手段２の温度により温度バイメタル１０が変位し、この変位力により温度調節用ガス開閉器１２を開閉しているが、温度バイメタル１０の変位は微少であり、しかも温度調節用ガス開閉器１２を開閉する動作は遅く、徐々に変化するため、熱媒温度が上昇して燃焼手段２が燃焼停止し、次に熱媒温度が下降して燃焼手段２が再燃焼する場合に、微少なガス量が供給されて着火しないとか、温度バイメタル１０の変位が微小なため、温度バイメタル１０と温度調節用ガス開閉器１２との位置関係を保つには高い寸法精度を必要とし、さらに機械的摩擦も加わって温度調節用ガス開閉器１２を開く動作がばらつき、再現性がなく、安定した熱媒の温度調節が出来ないという問題を有していた。同様に、熱媒の調節温度を可変する場合にも、前述の理由で再現性がなく、安定した熱媒の温度調節が出来ないという問題を有していた。
【０００５】
【課題を解決するための手段】
本発明は上記問題を解決することを課題とし、そのため、温度差に応じて電力を発生する熱電気変換手段と、この熱電気変換手段に熱を与える燃焼手段と、前記熱電気変換手段を介して伝わる熱により熱媒と熱交換する熱交換手段と、前記熱電気変換手段の発生電力により駆動して熱媒を搬送する熱媒強制循環手段と、前記熱交換手段で熱交換した熱媒を循環させて放熱する放熱手段と、前記熱媒強制循環手段、前記熱交換手段、前記放熱手段を順に接続して熱媒を循環させる熱媒通路と、前記燃焼手段の燃料となるガスを供給するガス供給手段と、前記燃焼手段に設けられ、この燃焼手段から受熱した温度が所定値を境に吸磁力が増減するフェライトを磁石に吸着・離脱させることでガス通路を開閉するガス供給開閉手段と、伝熱部材を介して、前記熱媒通路と接触伝熱させて前記燃焼手段のガス供給開閉手段を設けた部分の温度を変化させ、調節する温度を可変する場合には、操作により前記接触伝熱する面積を可変することで、熱媒の調節温度を可変させることができる温調可変機構とから構成したものである。
【０００６】
上記発明によれば、運転操作を行うとガス供給手段からガスが供給され、同時に点火が行われ、燃焼手段が燃焼を開始する。そこで熱電気変換手段が温度差に応じて電力を発生し、熱媒強制循環手段に電力が供給され、熱媒が搬送される。そして燃焼手段の燃焼熱を熱交換手段が受熱し、熱媒強制循環手段で搬送された熱媒と熱交換する。さらに熱媒は放熱手段へ循環し放熱して熱媒強制循環手段から熱交換手段に戻る。熱媒の温度が上昇すると、燃焼手段の温度も上昇して所定値に達する。燃焼手段から受熱するガス供給開閉手段はフェライトの吸磁力が減少し磁石が離脱するため、ガス通路を閉止し、燃焼手段は燃焼を停止する。熱媒の温度が下降すると、燃焼手段の温度も下降して、ガス供給開閉手段はフェライトの吸磁力上昇し、磁石を吸着するため、ガス通路を開放し、燃焼手段は燃焼を再開する。熱媒の温度は再び上昇する。このようにして熱媒の温度調節を行なう。また、調節する温度を可変する場合には、温調可変機構を操作すると、燃焼手段のガス供給開閉手段を設けた部分と熱媒通路との接触伝熱の面積を可変し、燃焼手段のガス供給開閉手段を設けた部分の温度を熱媒に吸熱させ、燃焼手段のガス供給開閉手段を設けた部分の温度を変化させるため、ガス供給開閉手段が開閉するときの燃焼手段の温度および熱媒温度を変化させることができる。温調可変機構の接触伝熱する面積を可変すれば、調節温度を可変させることができる。
【０００７】
そして、ガス供給開閉手段は温度の所定値を境に速やかにガス通路を開閉するため、再着火する場合も微少なガス量でなく所定のガス量が供給され、確実に再着火でき、他部品との位置関係を保つための高い寸法精度も不要になり、動作のばらつきもなく、再現性があり、安定した熱媒の温度調節が出来る。同様に、熱媒の調節温度を可変する場合にも、再現性があり、安定した熱媒の調節温度が可変出来る。
【０００８】
【発明の実施の形態】
本発明の請求項１にかかる熱搬送装置は、温度差に応じて電力を発生する熱電気変換手段と、この熱電気変換手段に熱を与える燃焼手段と、前記熱電気変換手段を介して伝わる熱により熱媒と熱交換する熱交換手段と、前記熱電気変換手段の発生電力により駆動して熱媒を搬送する熱媒強制循環手段と、熱媒を循環させて放熱する放熱手段と、前記熱媒強制循環手段、前記熱交換手段、前記放熱手段を順に接続して熱媒を循環させる熱媒通路と、前記燃焼手段への燃料を供給するガス供給手段と、した温度が所定値を境に吸磁力が増減するフェライトが磁石に吸着・離脱させてガス通路を開閉するガス供給開閉手段と、伝熱部材を介して、前記熱媒通路と接触伝熱させて前記燃焼手段のガス供給開閉手段を設けた部分の温度を変化させ、調節する温度を可変する場合には、操作により前記接触伝熱する面積を可変することで、熱媒の調節温度を可変させることができる温調可変機構とを有するものである。
【０００９】
そして、上記発明によれば、運転操作を行うとガス供給手段からガスが供給され、同時に点火が行われ、燃焼手段が燃焼を開始する。そこで熱電気変換手段が温度差に応じて電力を発生し、熱媒強制循環手段に電力が供給され、熱媒が搬送される。そして燃焼手段の燃焼熱を熱交換手段が受熱し、熱媒強制循環手段で搬送された熱媒と熱交換する。さらに熱媒は放熱手段に循環し放熱して熱媒強制循環手段から熱交換手段に戻る。熱媒の温度が上昇すると、燃焼手段の温度も上昇して所定値に達する。燃焼手段から受熱するガス供給開閉手段はフェライトが吸磁力が減少し磁石が離脱するため、ガス通路を閉止し、燃焼手段は燃焼を停止する。熱媒の温度が下降すると、燃焼手段の温度も下降して、ガス供給開閉手段はフェライトが吸磁力上昇し、磁石が吸着するため、ガス通路を開放し、燃焼手段は燃焼を再開する。熱媒の温度は再び上昇する。このようにして熱媒の温度調節を行なう。また、調節する温度を可変する場合には、温調可変機構を操作すると、燃焼手段のガス供給開閉手段を設けた部分と熱媒通路との接触伝熱の面積を可変し、燃焼手段のガス供給開閉手段を設けた部分の温度を熱媒に吸熱させ、燃焼手段のガス供給開閉手段を設けた部分の温度を変化させるため、ガス供給開閉手段が開閉するときの燃焼手段の温度および熱媒温度を変化させることができる。また温調可変機構の接触伝熱する面積を変えれば、調節温度を可変させることができる。
【００１０】
そして、ガス供給開閉手段は温度の所定値を境に速やかにガス通路を開閉するため、再着火する場合も微少なガス量でなく所定のガス量が供給され、確実に再着火でき、他部品との位置関係を保つための高い寸法精度も不要になり、動作のばらつきもなく、再現性があり、安定した熱媒の温度調節が出来る。同様に、熱媒の調節温度を可変する場合にも、再現性があり、安定した熱媒の調節温度が可変出来る。
【００１１】
本発明の請求項２にかかる熱搬送装置は、伝熱部材を介してガス供給開閉手段を設けた部分との間を伝熱する最小熱量の状態を最低制御温度とし、最大熱量の状態を最高制御温度として供給開閉手段のガス通路を開閉するものである。
【００１２】
そして、上記発明によれば、調節する温度を可変する場合には、温調可変機構を操作し、燃焼手段のガス供給開閉手段を設けた部分と熱媒通路との接触伝熱が最小になるように設定すると、燃焼手段のガス供給開閉手段を設けた部分の温度は熱媒によって低下させられる度合いも最小になり、ガス供給開閉手段が開閉する所定温度に到達したときの燃焼手段の温度および熱媒温度も最低温度になる。この温度を最低制御温度とする。次に、温調可変機構を操作し、燃焼手段のガス供給開閉手段を設けた部分と熱媒通路との接触伝熱が最大になるように設定すると、燃焼手段のガス供給開閉手段を設けた部分の温度は熱媒によって低下させられる度合いも最大になり、ガス供給開閉手段が開閉する所定温度に到達したときの燃焼手段の温度および熱媒温度も最高温度になる。この温度を最高制御温度とする。
【００１３】
そして、熱媒の吸熱によって熱媒の調節温度を可変するため、燃焼手段のガス供給開閉手段を設けた部分の温度変化を大きく可変でき、安定して再現性がある熱媒の温度調節ができ、しかも調節温度幅が大きく可変出来る。
【００１４】
本発明の請求項３にかかる熱搬送装置は、温度差に応じて電力を発生する熱電気変換手段と、この熱電気変換手段に熱を与える燃焼手段と、前記熱電気変換手段を介して伝わる熱により熱媒と熱交換する熱交換手段と、前記熱電気変換手段の発生電力により駆動して熱媒を搬送する熱媒強制循環手段と、熱媒を循環させて放熱する放熱手段と、前記熱媒強制循環手段、前記熱交換手段、前記放熱手段を順に接続して熱媒を循環させる熱媒通路と、前記燃焼手段への燃料を供給するガス供給手段と、温度が所定値を境に吸磁力が増減するフェライトに磁石を吸着・離脱させてガス通路を開閉するガス供給開閉手段と、操作により前記燃焼手段のガス供給開閉手段を設けた部分と前記燃焼手段の下流側の高温燃焼している部分との間を、伝熱部材を移動させて接触伝熱する面積が可変することで、ガス供給開閉手段を設けた部分の温度を調節し、熱媒の調節温度を可変させることができる温調可変機構を備えたものである。
【００１５】
そして、上記発明によれば、運転操作を行うとガス供給手段からガスが供給され、同時に点火が行われ、燃焼手段が燃焼を開始する。そこで熱電気変換手段が温度差に応じて電力を発生し、熱媒強制循環手段に電力が供給され、熱媒が搬送される。そして燃焼手段の燃焼熱を熱交換手段が受熱し、熱媒強制循環手段で搬送された熱媒と熱交換する。さらに熱媒は放熱手段に循環し放熱して熱媒強制循環手段から熱交換手段に戻る。熱媒の温度が上昇すると、燃焼手段の温度も上昇して所定値に達する。燃焼手段から受熱するガス供給開閉手段はフェライトが吸磁力が減少し磁石が離脱するため、ガス通路を閉止し、燃焼手段は燃焼を停止する。熱媒の温度が下降すると、燃焼手段の温度も下降して、ガス供給開閉手段はフェライトが吸磁力上昇し、磁石が吸着するため、ガス通路を開放し、燃焼手段は燃焼を再開する。熱媒の温度は再び上昇する。このようにして熱媒の温度調節を行なう。
【００１６】
また、調節する温度を可変する場合には、温調可変機構を操作すると、燃焼手段のガス供給開閉手段を設けた部分と燃焼手段の高温燃焼している部分とを伝熱部材を介して接触伝熱させ、燃焼している部分の方が温度が高いため、燃焼手段のガス供給開閉手段を設けた部分の温度が上昇する。燃焼手段のガス供給開閉手段を設けた部分の温度を変化させるため、ガス供給開閉手段が開閉するときの燃焼手段の温度および熱媒温度を変化させることができる。温調可変機構が伝熱部材を介して接触伝熱する面積を可変すれば、調節する温度を可変させることができる。
【００１７】
そして、ガス供給開閉手段は温度の所定値を境に速やかにガス通路を開閉するため、再着火する場合も微少なガス量でなく所定のガス量が供給され、確実に再着火でき、他部品との位置関係を保つための高い寸法精度も不要になり、動作のばらつきもなく、再現性があり、安定した熱媒の温度調節が出来る。同様に、熱媒の調節温度を可変する場合にも、再現性があり、安定した熱媒の調節温度が可変出来る。
【００１８】
本発明の請求項４にかかる熱搬送装置は、温調可変機構は接触伝熱する最小熱量の状態で、熱媒温度を最高制御温度とし、最大熱量の状態で、最低制御温度とするものである。
【００１９】
そして、上記発明によれば、温度調節する温度を可変する場合には、温調可変機構を操作し、燃焼手段のガス供給開閉手段を設けた部分と燃焼手段の燃焼している部分とを伝熱部材を介して接触伝熱が最小になるように設定すると、燃焼手段のガス供給開閉手段を設けた部分の温度は上昇させられる度合いが最小になり、ガス供給開閉手段が開閉する所定温度に到達したときの燃焼手段の温度および熱媒温度も最高温度になる。この温度を最高制御温度とする。次に、温調可変機構を操作し、燃焼手段のガス供給開閉手段を設けた部分と燃焼手段の高温燃焼している部分とが伝熱部材を介して接触伝熱が最大になるように設定すると、燃焼手段のガス供給開閉手段を設けた部分の温度は燃焼している部分の方が高温であるため、上昇させられる度合いも最大になり、ガス供給開閉手段が開閉する所定温度に到達したときの燃焼手段の温度および熱媒温度も最低温度になる。この温度を最低制御温度とする。このようにして調節する温度を可変させることができる。
【００２０】
そして、燃焼手段の燃焼している部分の熱量で、燃焼手段のガス供給開閉手段を設けた部分の温度を上昇させて熱媒の調節温度を可変するため、燃焼手段のガス供給開閉手段を設けた部分の温度変化を大きく可変でき、安定して再現性がある熱媒の温度調節ができ、しかも調節温度幅が大きく可変出来る。
【００２１】
本発明の請求項５にかかる熱搬送装置は、温度差に応じて電力を発生する熱電気変換手段と、この熱電気変換手段に熱を与える燃焼手段と、前記熱電気変換手段を介して伝わる熱により熱媒と熱交換する熱交換手段と、前記熱電気変換手段の発生電力により駆動して熱媒を搬送する熱媒強制循環手段と、熱媒を循環させて放熱する放熱手段と、前記熱媒強制循環手段、前記熱交換手段、前記放熱手段を順に接続して熱媒を循環させる熱媒通路と、前記燃焼手段への燃料を供給するガス供給手段と、温度が所定値を境に吸磁力が増減するフェライトに磁石を吸着・離脱させてガス通路を開閉するガス供給開閉手段と、前記ガス供給開閉手段を設けた部分に設け、熱媒と熱交換させる熱媒通路の熱媒分流通路と、この熱媒分流通路への熱媒分流量を調節する分流量調節手段を備え、前記分流量調節手段を操作することにより、前記熱媒分流通路を流れる熱媒量が可変し、熱媒分流通路の熱媒に吸熱させる熱量を可変して熱媒の調節温度を可変させることができるものである。
【００２２】
そして、上記発明によれば、運転操作を行うとガス供給手段からガスが供給され、同時に点火が行われ、燃焼手段が燃焼を開始する。そこで熱電気変換手段が温度差に応じて電力を発生し、熱媒強制循環手段に電力が供給され、熱媒が搬送される。そして燃焼手段の燃焼熱を熱交換手段が受熱し、熱媒強制循環手段で搬送された熱媒と熱交換する。さらに熱媒は放熱手段に循環し放熱して熱媒強制循環手段から熱交換手段に戻る。熱媒の温度が上昇すると、燃焼手段の温度も上昇して所定値に達する。燃焼手段から受熱するガス供給開閉手段はフェライトが吸磁力が減少し磁石が離脱するため、ガス通路を閉止し、燃焼手段は燃焼を停止する。熱媒の温度が下降すると、燃焼手段の温度も下降して、ガス供給開閉手段はフェライトが吸磁力上昇し、磁石が吸着するため、ガス通路を開放し、燃焼手段は燃焼を再開する。熱媒の温度は再び上昇する。このようにして熱媒の温度調節を行なう。
【００２３】
また、調節する温度を可変する場合には、分流量調節手段を操作すると、燃焼手段のガス供給開閉手段を設けた部分から熱媒分流通路の熱媒に吸熱させ、燃焼手段のガス供給開閉手段を設けた部分の温度を変化させるため、ガス供給開閉手段が開閉するときの燃焼手段の温度および熱媒温度を変化させることができる。分流量調節手段で熱媒分流通路を流れる熱媒量を可変すれば、熱媒分流通路の熱媒に吸熱させる熱量を可変して調節温度を可変させることができる。
【００２４】
そして、ガス供給開閉手段は温度の所定値を境に速やかにガス通路を開閉するため、再着火する場合も微少なガス量でなく所定のガス量が供給され、確実に再着火でき、他部品との位置関係を保つための高い寸法精度も不要になり、動作のばらつきもなく、再現性があり、安定した熱媒の調節が出来る。同様に、熱媒の調節温度を可変する場合にも、再現性があり、安定した熱媒の調節温度が可変出来る。
【００２５】
本発明の請求項６にかかる熱搬送装置は、分流量調節手段は熱媒分流通路への熱媒分流量が最小の状態で、熱媒温度を最低制御温度とし、熱媒分流量が最大の状態で、熱媒温度を最高制御温度としたものである。
【００２６】
そして、上記発明によれば、調節する温度を可変する場合には、分流量調節手段を操作し、熱媒分流通路への熱媒分流量が最小の状態にすると、燃焼手段のガス供給開閉手段を設けた部分からの熱媒分流通路の熱媒の吸熱量が最小になるため、燃焼手段のガス供給開閉手段を設けた部分の温度は熱媒によって低下させられる度合いも最小になり、燃焼手段の温度および熱媒温度が低い状態でガス供給開閉手段が開閉する所定温度に到達する。したがって燃焼手段の温度および熱媒温度も最低温度になり、この温度を最低制御温度とする。次に、分流量調節手段を操作し、熱媒分流通路への熱媒分流量が最大の状態にすると、燃焼手段のガス供給開閉手段を設けた部分からの熱媒分流通路の熱媒の吸熱量が最大になるため、燃焼手段のガス供給開閉手段を設けた部分の温度は熱媒によって低下させられる度合いも最大になり、燃焼手段の温度および熱媒温度が高い状態でガス供給開閉手段が開閉する所定温度に到達する。したがって燃焼手段の温度および熱媒温度も最高温度になり、この温度を最高制御温度とする。
【００２７】
そして、熱媒分流通路の熱媒の吸熱によって熱媒の調節温度を可変するため、燃焼手段のガス供給開閉手段を設けた部分の温度変化を大きく可変でき、安定して再現性がある熱媒の温度調節ができ、しかも調節温度幅が大きく可変出来る。
【００２８】
本発明の請求項７にかかる熱搬送装置は、温度差に応じて電力を発生する熱電気変換手段と、この熱電気変換手段に熱を与える燃焼手段と、前記熱電気変換手段を介して伝わる熱により熱媒と熱交換する熱交換手段と、前記熱電気変換手段の発生電力により駆動して熱媒を搬送する熱媒強制循環手段と、熱媒を循環させて放熱する放熱手段と、前記熱媒強制循環手段、前記熱交換手段、前記放熱手段を順に接続して熱媒を循環させる熱媒通路と、前記燃焼手段への燃料を供給するガス供給手段と、温度が所定値を境に吸磁力が増減するフェライトに磁石を吸着・離脱させてガス通路を開閉するガス供給開閉手段と、前記ガス供給開閉手段を設けた部分と接触しながら移動させてこのガス供給開閉手段を設けた部分の温度を上下させる温調熱媒通路と、この温調熱媒通路を移動させる温調可変機構を備え、前記温調可変機構で、燃焼手段のガス供給開閉手段を設けた部分から温調熱媒通路に接触伝熱する面積を変えることで、熱媒の調節温度を可変させることができるものである。
【００２９】
そして、上記発明によれば、運転操作を行うとガス供給手段からガスが供給され、同時に点火が行われ、燃焼手段が燃焼を開始する。そこで熱電気変換手段が温度差に応じて電力を発生し、熱媒強制循環手段に電力が供給され、熱媒が搬送される。そして燃焼手段の燃焼熱を熱交換手段が受熱し、熱媒強制循環手段で搬送された熱媒と熱交換する。さらに熱媒は放熱手段に循環し放熱して熱媒強制循環手段から熱交換手段に戻る。熱媒の温度が上昇すると、燃焼手段の温度も上昇して所定値に達する。燃焼手段から受熱するガス供給開閉手段はフェライトは吸磁力が減少し磁石が離脱するため、ガス通路を閉止し、燃焼手段は燃焼を停止する。熱媒の温度が下降すると、燃焼手段の温度も下降して、ガス供給開閉手段はフェライトが吸磁力上昇し、磁石が吸着するため、ガス通路を開放し、燃焼手段は燃焼を再開する。熱媒の温度は再び上昇する。このようにして熱媒の温度調節を行なう。
【００３０】
また、調節する温度を可変する場合には、温調可変機構を操作すると、燃焼手段のガス供給開閉手段を設けた部分から温調熱媒通路の熱媒に吸熱させ、燃焼手段のガス供給開閉手段を設けた部分の温度を変化させるため、ガス供給開閉手段が開閉するときの燃焼手段の温度および熱媒温度を変化させることができる。温調可変機構で、燃焼手段のガス供給開閉手段を設けた部分から温調熱媒通路に接触伝熱する面積を変えれば、調節温度を可変させることができる。
【００３１】
そして、ガス供給開閉手段は温度の所定値を境に速やかにガス通路を開閉するため、再着火する場合も微少なガス量でなく所定のガス量が供給され、確実に再着火でき、他部品との位置関係を保つための高い寸法精度も不要になり、動作のばらつきもなく、再現性があり、安定した熱媒の温度調節が出来る。同様に、熱媒の調節温度を可変する場合にも、再現性があり、安定した熱媒の調節温度が可変出来る。
【００３２】
本発明の請求項８にかかる熱搬送装置は、温調熱媒通路は燃焼手段のガス供給開閉手段を設けた部分と熱交換する最小熱量の状態で、熱媒温度を最低制御温度とし、熱媒通路の熱媒温度を最高制御温度としたものである。
【００３３】
そして、上記発明によれば、調節する温度を可変する場合には、温調可変機構で、燃焼手段のガス供給開閉手段を設けた部分から温調熱媒通路に接触伝熱するが最小になるように設定すると、燃焼手段のガス供給開閉手段を設けた部分の温度は温調熱媒通路によって低下させられる度合いも最小になり、ガス供給開閉手段が開閉する所定温度に到達したときの燃焼手段の温度および熱媒温度も最低温度になる。この温度を最低制御温度とする。次に、温調可変機構を操作し、燃焼手段のガス供給開閉手段を設けた部分と温調熱媒通路との接触伝熱が最大になるように設定すると、燃焼手段のガス供給開閉手段を設けた部分の温度は温調熱媒通路によって低下させられる度合いも最大になり、ガス供給開閉手段が開閉する所定温度に到達したときの燃焼手段の温度および熱媒温度も最高温度になる。この温度を最高制御温度とする。
【００３４】
そして、温調熱媒通路の熱媒の吸熱によって熱媒の調節温度を可変するため、燃焼手段のガス供給開閉手段を設けた部分の温度変化を大きく可変でき、安定して再現性がある熱媒の温度調節ができ、しかも調節温度幅が大きく可変出来る。
【００３５】
【実施例】
以下、本発明の実施例について図面を用いて説明する。
【００３６】
（実施例１）
図１は本発明の実施例１の熱搬送装置の構成図、図２はガス供給開閉手段の断面図である。
【００３７】
図１において、1は温度差に応じて電力を発生する熱電気変換手段、２は燃焼手段で熱電気変換手段１に熱を与える。３は熱交換手段で、熱電気変換手段１を介して伝わる熱により熱媒（以下、実施例では水）と熱交換する。４は熱媒強制循環手段で、熱電気変換手段１の発生電力により駆動して熱媒を搬送する。５は放熱手段で、熱交換手段３で熱交換した熱媒を循環させて放熱して暖房などに利用する。６は熱媒通路で、熱媒強制循環手段４、熱交換手段３、放熱手段５を順に接続して熱媒を循環させる。７はガス供給手段で、燃焼手段２の燃料となるガスを供給する。図２において、１３はガス供給開閉手段で、燃焼手段２の上流に設けられ、燃焼手段２から受熱した温度が所定値を境にガス通路８を開閉する機能を有する。すなわち、吸磁力が増減するフェライト１４、このフェライト１４に吸着・離脱する磁石１５、この磁石１５を制御する制御バネ１６、磁石１５と一体構成で、ガス噴出ノズル１７を開閉する制御弁１８より成っている。１９は温調可変機構であり、伝熱部材２０を介して、燃焼手段２のガス供給開閉手段１３を設けた部分と熱媒通路６とを可変可能で接触伝熱させて熱媒に吸熱させ、燃焼手段２のガス供給開閉手段１３を設けた部分の温度を可変可能とするものである。
【００３８】
この構成における動作、作用について説明する。運転操作を行うとガス供給手段７からガスが供給され、同時に点火が行われ、燃焼手段２が燃焼を開始する。そこで熱電気変換手段１が温度差に応じて電力を発生し、熱媒強制循環手段４に電力が供給され、熱媒が搬送される。そして燃焼手段２の燃焼熱を熱交換手段３が受熱し、熱媒強制循環手段４で搬送された熱媒と熱交換する。さらに熱媒は放熱手段５に循環し放熱して熱媒強制循環手段４から熱交換手段３に戻る。熱媒の温度が上昇すると、燃焼手段２の温度も上昇して所定値に達する。燃焼手段２から受熱するガス供給開閉手段１３はフェライト１４は吸磁力が減少し磁石１５が離脱するため、ガス通路を閉止し、燃焼手段２は燃焼を停止する。熱媒の温度が下降すると、燃焼手段２の温度も下降して、ガス供給開閉手段１３はフェライト１４は吸磁力を上昇し、磁石１５と吸着するため、ガス通路を開放し、燃焼手段２は燃焼を再開する。熱媒の温度は再び上昇する。このようにして熱媒の温度調節を行なう。また、温度調節する温度を可変する場合には、温調可変機構１９を操作すると、伝熱部材２０を介して燃焼手段２のガス供給開閉手段１３を設けた部分と熱媒通路６とが接触伝熱し、燃焼手段２のガス供給開閉手段１３を設けた部分の温度を熱媒に吸熱させ、燃焼手段２のガス供給開閉手段１３を設けた部分の温度を変化させるため、ガス供給開閉手段１３が開閉するときの燃焼手段２の温度および熱媒温度を変化させることができる。温調可変機構１９で伝熱部材２０を介して接触伝熱する面積を変えれば、調節温度を可変させることができる。
【００３９】
そして、ガス供給開閉手段１３は所定値の温度を境にすばやくガス通路を開閉するため、再着火する場合も微少なガス量でなく所定のガス量が供給され、確実に再着火でき、他部品との位置関係を保つための高い寸法精度も不要になり、動作のばらつきもなく、再現性があり、安定した熱媒の温度調節が出来る。同様に、熱媒の調節温度を可変する場合にも、再現性があり、安定した熱媒の調節温度が可変出来る。
【００４０】
（実施例２）
図３は本発明の実施例２の熱搬送装置の要部構成図、図４は温調作動特性図である。
【００４１】
実施例１と異なる点は、温調可変機構１９が伝熱部材２０を介して燃焼手段２のガス供給開閉手段１３を設けた部分と熱媒通路６との間を接触伝熱する最小熱量の状態で（実線部分）、ガス供給開閉手段１３がガス通路を開閉する場合に対応した熱媒通路６の熱媒温度を最低制御温度とし、温調可変機構１９が伝熱部材２０を介して燃焼手段２のガス供給開閉手段１３を設けた部分と熱媒通路６との間を接触伝熱する最大熱量の状態で（鎖線部分）、ガス供給開閉手段１３がガス通路を開閉する場合の熱媒温度を最高制御温度としたところである。なお実施例１と同一符号のものは同一構造を有し、説明は省略する。
【００４２】
次に動作、作用について説明する。調節する温度を可変する場合には、温調可変機構１９を操作し、伝熱部材２０を介して燃焼手段２のガス供給開閉手段１３を設けた部分と熱媒通路６との接触伝熱が最小になるように（位置Ｌ）設定すると、燃焼手段２のガス供給開閉手段１３を設けた部分の温度は熱媒によって低下させられる度合いも最小になり、ガス供給開閉手段１３が開閉する所定温度に到達したときの燃焼手段２の温度および熱媒温度も最低温度になる。この温度を最低制御温度とする。次に、温調可変機構１９を操作し、伝熱部材２０を介して燃焼手段２のガス供給開閉手段１３を設けた部分と熱媒通路６との接触伝熱が最大になるように（位置Ｈ）設定すると、燃焼手段２のガス供給開閉手段１３を設けた部分の温度は熱媒によって低下させられる度合いも最大になり、ガス供給開閉手段１３が開閉する所定温度に到達したときの燃焼手段２の温度および熱媒温度も最高温度になる。この温度を最高制御温度とする。
【００４３】
そして、熱媒の吸熱によって熱媒の調節温度を可変するため、燃焼手段２のガス供給開閉手段１３を設けた部分の温度変化を大きく可変でき、安定して再現性がある熱媒の温度調節ができ、しかも調節温度幅が大きく可変出来る。
【００４４】
（実施例３）
図５は本発明の実施例３の熱搬送装置の要部構成図である。
【００４５】
実施例１と異なる点は、燃焼手段２のガス供給開閉手段１３を設けた部分と燃焼手段２の燃焼している部分との間を伝熱部材２０を介して移動しながら接触伝熱量を変化させて、燃焼手段２のガス供給開閉手段１３を設けた部分の温度を上下させる温調可変機構１９を設けたところである。なお実施例１と同一符号のものは同一構造を有し、説明は省略する。
【００４６】
次に動作、作用について説明する。調節する温度を可変する場合には、温調可変機構１９を操作すると、燃焼手段２のガス供給開閉手段１３を設けた部分と燃焼手段２の燃焼している部分とを伝熱部材２０を介して接触伝熱させ、燃焼している部分（下流側）の方が温度が高いため、燃焼手段２のガス供給開閉手段１３を設けた部分の温度が上昇する。燃焼手段２のガス供給開閉手段１３を設けた部分の温度を変化させるため、ガス供給開閉手段１３が開閉するときの燃焼手段２の温度および熱媒温度を変化させることができる。温調可変機構１９が伝熱部材２０を介して接触伝熱する位置を可変すれば、調節する温度を可変させることができる。
【００４７】
そして、ガス供給開閉手段１３は温度の所定値を境にすばやくガス通路を開閉するため、再着火する場合も微少なガス量でなく所定のガス量が供給され、確実に再着火でき、他部品との位置関係を保つための高い寸法精度も不要になり、動作のばらつきもなく、再現性があり、安定した熱媒の温度調節が出来る。同様に、熱媒の調節温度を可変する場合にも、再現性があり、安定した熱媒の調節温度が可変出来る。
【００４８】
（実施例４）
図５、図６を用いて本発明の実施例４を説明する。
【００４９】
実施例１と異なる点は、温調可変機構１９が燃焼手段２のガス供給開閉手段１３を設けた部分と前記燃焼手段２の燃焼している部分との間を伝熱部材２０を介して接触伝熱する最小熱量の状態で、ガス供給開閉手段１３がガス通路を開閉する場合に対応した熱媒通路６の熱媒温度を最高制御温度とし、温調可変機構１９が燃焼手段２のガス供給開閉手段１３を設けた部分と熱媒通路６との間を伝熱部材２０を介して接触伝熱する最大熱量の状態で、ガス供給開閉手段１３がガス通路を開閉する場合の熱媒温度を最低制御温度としたところである。
【００５０】
次に動作、作用について説明する。調節する温度を可変する場合には、温調可変機構１９を操作し、燃焼手段２のガス供給開閉手段１３を設けた部分と燃焼手段２の燃焼している部分とが伝熱部材２０を介して接触伝熱が最小になるように設定すると、燃焼手段２のガス供給開閉手段１３を設けた部分の温度は上昇させられる度合いが最小になり、ガス供給開閉手段１３が開閉する所定温度に到達したときの燃焼手段２の温度および熱媒温度も最高温度になる。この温度を最高制御温度とする。次に、温調可変機構１９を操作し、燃焼手段２のガス供給開閉手段１３を設けた部分と燃焼手段２の燃焼している部分とが伝熱部材２０を介して接触伝熱が最大になるように設定すると、燃焼手段２のガス供給開閉手段１３を設けた部分の温度は燃焼している部分の方が高温であるため、上昇させられる度合いも最大になり、ガス供給開閉手段１３が開閉する所定温度に到達したときの燃焼手段２の温度および熱媒温度も最低温度になる。この温度を最低制御温度とする。このようにして調節する温度を可変させることができる。
【００５１】
そして、燃焼手段２の燃焼している部分の熱量で、燃焼手段２のガス供給開閉手段１３を設けた部分の温度を上昇させて熱媒の調節温度を可変するため、燃焼手段２のガス供給開閉手段１３を設けた部分の温度変化を大きく可変でき、安定して再現性がある熱媒の温度調節ができ、しかも調節温度幅が大きく可変出来る。
【００５２】
（実施例５）
図７は本発明の実施例５の熱搬送装置の要部構成図である。
【００５３】
実施例１と異なる点は、燃焼手段２のガス供給開閉手段１３を設けた部分の温度を低下させるように熱媒と熱交換させる熱媒通路６の熱媒分流通路２１と、この熱媒分流通路２１への熱媒分流量を調節する分流量調節手段２２を設けたところである。なお実施例１と同一符号のものは同一構造を有し、説明は省略する。
【００５４】
次に動作、作用について説明する。調節する温度を可変する場合には、分流量調節手段２２を操作すると、燃焼手段２のガス供給開閉手段１３を設けた部分から熱媒分流通路２１の熱媒に吸熱させ、燃焼手段２のガス供給開閉手段１３を設けた部分の温度を変化させるため、ガス供給開閉手段１３が開閉するときの燃焼手段２の温度および熱媒温度を変化させることができる。分流量調節手段２２で熱媒分流通路２１を流れる熱媒量を可変すれば、熱媒分流通路２１の熱媒に吸熱させる熱量を可変して調節温度を可変させることができる。
【００５５】
そして、ガス供給開閉手段１３は温度の所定値を境にすばやくガス通路を開閉するため、再着火する場合も微少なガス量でなく所定のガス量が供給され、確実に再着火でき、他部品との位置関係を保つための高い寸法精度も不要になり、動作のばらつきもなく、再現性があり、安定した熱媒の温度調節が出来る。同様に、熱媒の調節温度を可変する場合にも、再現性があり、安定した熱媒の調節温度が可変出来る。
【００５６】
（実施例６）
本発明の実施例６を図７を用いて説明する。
【００５７】
実施例１と異なる点は、分流量調節手段２２が熱媒分流通路２１への熱媒分流量が最小の状態で、ガス供給開閉手段１３がガス通路を開閉する場合に対応した熱媒通路６の熱媒温度を最低制御温度とし、分流量調節手段２２が熱媒分流通路２１への熱媒分流量が最大の状態で、ガス供給開閉手段１３がガス通路９を開閉する場合に対応した熱媒通路６の熱媒温度を最高制御温度としたところである。
【００５８】
次に動作、作用について説明する。温度調節する温度を可変する場合には、分流量調節手段２２を操作し、熱媒分流通路２１への熱媒分流量が最小の状態にすると、燃焼手段２のガス供給開閉手段１３を設けた部分からの熱媒分流通路２１の熱媒の吸熱量が最小になるため、燃焼手段２のガス供給開閉手段１３を設けた部分の温度は熱媒によって低下させられる度合いも最小になり、燃焼手段２の温度および熱媒温度が低い状態でガス供給開閉手段１３が開閉する所定温度に到達する。したがって燃焼手段２の温度および熱媒温度も最低温度になり、この温度を最低制御温度とする。次に、分流量調節手段２２を操作し、熱媒分流通路２１への熱媒分流量が最大の状態にすると、燃焼手段２のガス供給開閉手段１３を設けた部分からの熱媒分流通路２１の熱媒の吸熱量が最大になるため、燃焼手段２のガス供給開閉手段１３を設けた部分の温度は熱媒によって低下させられる度合いも最大になり、燃焼手段２の温度および熱媒温度が高い状態でガス供給開閉手段１３が開閉する所定温度に到達する。したがって燃焼手段２の温度および熱媒温度も最高温度になり、この温度を最高制御温度とする。
【００５９】
そして、熱媒分流通路２１の熱媒の吸熱によって熱媒の調節温度を可変するため、燃焼手段２のガス供給開閉手段１３を設けた部分の温度変化を大きく可変でき、安定して再現性がある熱媒の温度調節ができ、しかも調節温度幅が大きく可変出来る。
【００６０】
（実施例７）
図８は本発明の実施例７の熱搬送装置の要部構成図である。
【００６１】
実施例１と異なる点は、熱媒通路６の一部であり、燃焼手段２のガス供給開閉手段１３を設けた部分と接触しながら移動させて燃焼手段２のガス供給開閉手段１３を設けた部分の温度を上下させる温調熱媒通路２３と、この温調熱媒通路２３を移動させる温調可変機構１９を設けたところである。なお実施例１と同一符号のものは同一構造を有し、説明は省略する。
【００６２】
次に動作、作用について説明する。温度調節する温度を可変する場合には、温調可変機構１９を操作すると、燃焼手段２のガス供給開閉手段１３を設けた部分から温調熱媒通路２３の熱媒に吸熱させ、燃焼手段２のガス供給開閉手段１３を設けた部分の温度を変化させるため、ガス供給開閉手段１３が開閉するときの燃焼手段２の温度および熱媒温度を変化させることができる。温調可変機構１９で、燃焼手段２のガス供給開閉手段１３を設けた部分から温調熱媒通路２３に接触伝熱する面積を可変すれば、調節温度を可変させることができる。
【００６３】
そして、ガス供給開閉手段１３は温度の所定値を境にすばやくガス通路を開閉するため、再着火する場合も微少なガス量でなく所定のガス量が供給され、確実に再着火でき、他部品との位置関係を保つための高い寸法精度も不要になり、動作のばらつきもなく、再現性があり、安定した熱媒の温度調節が出来る。同様に、熱媒の調節温度を可変する場合にも、再現性があり、安定した熱媒の調節温度が可変出来る。
【００６４】
（実施例８）
本発明の実施例８を図８を用いて説明する。
【００６５】
実施例１と異なる点は、温調熱媒通路２３が燃焼手段２のガス供給開閉手段１３を設けた部分と熱交換する最小熱量の状態で、ガス供給開閉手段１３がガス通路を開閉する場合に対応した熱媒通路６の熱媒温度を最低制御温度とし、温調熱媒通路２３が燃焼手段２のガス供給開閉手段１３を設けた部分と熱交換する最大熱量の状態で、ガス供給開閉手段１３がガス通路を開閉する場合に対応した熱媒通路６の熱媒温度を最高制御温度としたものである。
【００６６】
次に動作、作用について説明する。温度調節する温度を可変する場合には、温調可変機構１９で、燃焼手段２のガス供給開閉手段１３を設けた部分から温調熱媒通路２３に接触伝熱するが最小になるように設定すると、燃焼手段２のガス供給開閉手段１３を設けた部分の温度は温調熱媒通路２３によって低下させられる度合いも最小になり、ガス供給開閉手段１３が開閉する所定温度に到達したときの燃焼手段２の温度および熱媒温度も最低温度になる。この温度を最低制御温度とする。次に、温調可変機構１９を操作し、燃焼手段２のガス供給開閉手段１３を設けた部分と温調熱媒通路２３との接触伝熱が最大になるように設定すると、燃焼手段２のガス供給開閉手段１３を設けた部分の温度は温調熱媒通路２３によって低下させられる度合いも最大になり、ガス供給開閉手段１３が開閉する所定温度に到達したときの燃焼手段２の温度および熱媒温度も最高温度になる。この温度を最高制御温度とする。
【００６７】
そして、温調熱媒通路２３の熱媒の吸熱によって熱媒の調節温度を可変するため、燃焼手段２のガス供給開閉手段１３を設けた部分の温度変化を大きく可変でき、安定して再現性がある熱媒の温度調節ができ、しかも調節温度幅が大きく可変出来る。
【００６８】
【発明の効果】
以上のように本発明の請求項１に係る熱搬送装置は、運転操作を行うとガス供給手段からガスが供給され、同時に点火が行われ、燃焼手段が燃焼を開始する。そこで熱電気変換手段が温度差に応じて電力を発生し、熱媒強制循環手段に電力が供給され、熱媒が搬送される。そして燃焼手段の燃焼熱を熱交換手段が受熱し、熱媒強制循環手段で搬送された熱媒と熱交換する。さらに熱媒は放熱手段に循環し放熱して熱媒強制循環手段から熱交換手段に戻る。熱媒の温度が上昇すると、燃焼手段の温度も上昇して所定値に達する。燃焼手段から受熱するガス供給開閉手段はフェライトが吸磁力が減少し磁石が離脱するため、ガス通路を閉止し、燃焼手段は燃焼を停止する。熱媒の温度が下降すると、燃焼手段の温度も下降して、ガス供給開閉手段はフェライトが吸磁力上昇し、磁石が吸着するため、ガス通路を開放し、燃焼手段は燃焼を再開する。熱媒の温度は再び上昇する。このようにして熱媒の温度調節を行なう。また、温度調節する温度を可変する場合には、温調可変機構を操作すると、燃焼手段のガス供給開閉手段を設けた部分と熱媒通路とを接触伝熱し、燃焼手段のガス供給開閉手段を設けた部分の温度を熱媒に吸熱させ、燃焼手段のガス供給開閉手段を設けた部分の温度を変化させるため、ガス供給開閉手段が開閉するときの燃焼手段の温度および熱媒温度を変化させることができる。操作により温調可変機構の接触伝熱する面積を可変すれば、調節温度を可変させることができる。
【００６９】
そして請求項１、以下３、５、７の各項においても、ガス供給開閉手段は温度の所定値を境にすばやくガス通路を開閉するため、再着火する場合も微少なガス量でなく所定のガス量が供給され、確実に再着火でき、他部品との位置関係を保つための高い寸法精度も不要になり、動作のばらつきもなく、再現性があり、安定した熱媒の温度調節が出来る。同様に、熱媒の調節温度を可変する場合にも、再現性があり、安定した熱媒の調節温度が可変出来る。
【００７０】
また、請求項２に係る熱搬送装置は、調節する温度を可変する場合には、温調可変機構を操作し、燃焼手段のガス供給開閉手段を設けた部分と熱媒通路との接触伝熱が最小になるように設定すると、燃焼手段のガス供給開閉手段を設けた部分の温度は熱媒によって低下させられる度合いも最小になり、ガス供給開閉手段が開閉する所定温度に到達したときの燃焼手段の温度および熱媒温度も最低温度になる。この温度を最低制御温度とする。次に、温調可変機構を操作し、燃焼手段のガス供給開閉手段を設けた部分と熱媒通路との接触伝熱が最大になるように設定すると、燃焼手段のガス供給開閉手段を設けた部分の温度は熱媒によって低下させられる度合いも最大になり、ガス供給開閉手段が開閉する所定温度に到達したときの燃焼手段の温度および熱媒温度も最高温度になる。この温度を最高制御温度とし、熱媒の吸熱によって熱媒の調節温度を可変するため、燃焼手段のガス供給開閉手段を設けた部分の温度変化を大きく可変でき、安定して再現性がある熱媒の温度調節ができ、しかも調節温度幅が大きく可変出来る。
【００７１】
また、請求項３に係る熱搬送装置は、調節する温度を可変する場合には、温調可変機構を操作すると、燃焼手段のガス供給開閉手段を設けた部分と燃焼手段の燃焼している部分とを伝熱部材を介して接触伝熱させ、燃焼している部分の方が温度が高いため、燃焼手段のガス供給開閉手段を設けた部分の温度が上昇し、燃焼手段のガス供給開閉手段を設けた部分の温度を変化させるため、ガス供給開閉手段が開閉するときの燃焼手段の温度および熱媒温度を変化させることができる。操作により温調可変機構が伝熱部材を介しての接触伝熱する面積を可変すれば、調節する温度を可変させることもできる。
【００７２】
また、請求項４に係る熱搬送装置は、調節する温度を可変する場合には、温調可変機構を操作し、燃焼手段のガス供給開閉手段を設けた部分と燃焼手段の燃焼している部分とが伝熱部材を介して接触伝熱が最小になるように設定すると、燃焼手段のガス供給開閉手段を設けた部分の温度は上昇させられる度合いが最小になり、ガス供給開閉手段が開閉する所定温度に到達したときの燃焼手段の温度および熱媒温度も最高温度になる。この温度を最高制御温度とする。また温調可変機構を操作し、燃焼手段のガス供給開閉手段を設けた部分と燃焼手段の燃焼している部分とが伝熱部材を介して接触伝熱が最大になるように設定すると、燃焼手段のガス供給開閉手段を設けた部分の温度は燃焼している部分の方が高温であるため、上昇させられる度合いも最大になり、ガス供給開閉手段が開閉する所定温度に到達したときの燃焼手段の温度および熱媒温度も最低温度になり、この温度を最低制御温度とする。このようにして、調節する温度を可変させることができる。
【００７３】
そして、燃焼手段の燃焼している部分の熱量で、燃焼手段のガス供給開閉手段を設けた部分の温度を上昇させて熱媒の調節温度を可変するため、燃焼手段のガス供給開閉手段を設けた部分の温度変化を大きく可変でき、安定して再現性がある熱媒の温度調節ができ、しかも調節温度幅が大きく可変出来る。
【００７４】
また、請求項５に係る熱搬送装置は、調節する温度を可変する場合には、分流量調節手段を操作すると、燃焼手段のガス供給開閉手段を設けた部分から熱媒分流通路の熱媒に吸熱させ、燃焼手段のガス供給開閉手段を設けた部分の温度を変化させるため、ガス供給開閉手段が開閉するときの燃焼手段の温度および熱媒温度を変化させることができる。分流量調節手段で熱媒分流通路を流れる熱媒量を可変すれば、熱媒分流通路の熱媒に吸熱させる熱量を可変して調節温度を可変させることができる。
【００７５】
また、請求項６に係る熱搬送装置は、調節する温度を可変する場合には、分流量調節手段を操作し、熱媒分流通路への熱媒分流量が最小の状態にすると、燃焼手段のガス供給開閉手段を設けた部分からの熱媒分流通路の熱媒の吸熱量が最小になるため、燃焼手段のガス供給開閉手段を設けた部分の温度は熱媒によって低下させられる度合いも最小になり、燃焼手段の温度および熱媒温度が低い状態でガス供給開閉手段が開閉する所定温度に到達する。したがって燃焼手段の温度および熱媒温度も最低温度になり、この温度を最低制御温度とし、分流量調節手段を操作し、熱媒分流通路への熱媒分流量が最大の状態にすると、燃焼手段のガス供給開閉手段を設けた部分からの熱媒分流通路の熱媒の吸熱量が最大になるため、燃焼手段のガス供給開閉手段を設けた部分の温度は熱媒によって低下させられる度合いも最大になり、燃焼手段の温度および熱媒温度が高い状態でガス供給開閉手段が開閉する所定温度に到達する。したがって燃焼手段の温度および熱媒温度も最高温度になり、熱媒分流通路の熱媒の吸熱によって熱媒の調節温度を可変するため、燃焼手段のガス供給開閉手段を設けた部分の温度変化を大きく可変でき、安定して再現性がある熱媒の温度調節ができ、しかも調節温度幅が大きく可変出来る。
【００７６】
また、請求項７に係る熱搬送装置は、調節する温度を可変する場合には、温調可変機構を操作すると、燃焼手段のガス供給開閉手段を設けた部分から温調熱媒通路の熱媒に吸熱させ、燃焼手段のガス供給開閉手段を設けた部分の温度を変化させるため、ガス供給開閉手段が開閉するときの燃焼手段の温度および熱媒温度を変化させることができる。温調可変機構で、燃焼手段のガス供給開閉手段を設けた部分から温調熱媒通路に接触伝熱する面積を可変すれば、調節温度を可変させることができる。
【００７７】
また、請求項８に係る熱搬送装置は、調節する温度を可変する場合には、温調可変機構で、燃焼手段のガス供給開閉手段を設けた部分から温調熱媒通路に接触伝熱するが最小になるように設定すると、燃焼手段のガス供給開閉手段を設けた部分の温度は温調熱媒通路によって低下させられる度合いも最小になり、ガス供給開閉手段が開閉する所定温度に到達したときの燃焼手段の温度および熱媒温度も最低温度になる。この温度を最低制御温度とし、温調可変機構を操作し、燃焼手段のガス供給開閉手段を設けた部分と温調熱媒通路との接触伝熱が最大になるように設定すると、燃焼手段のガス供給開閉手段を設けた部分の温度は温調熱媒通路によって低下させられる度合いも最大になり、ガス供給開閉手段が開閉する所定温度に到達したときの燃焼手段の温度および熱媒温度も最高温度になり、温調熱媒通路の熱媒の吸熱によって熱媒の調節温度を可変するため、燃焼手段のガス供給開閉手段を設けた部分の温度変化を大きく可変でき、安定して再現性がある熱媒の温度調節ができ、しかも調節温度幅が大きく可変出来る。
【図面の簡単な説明】
【図１】  本発明の実施例１の熱搬送装置の構成図
【図２】  同ガス供給開閉手段の断面図
【図３】  本発明の実施例２の熱搬送装置の要部構成図
【図４】  同温調作動特性図
【図５】  本発明の実施例３および実施例４の熱搬送装置の要部構成図
【図６】  本発明の実施例４の温調作動特性図
【図７】  本発明の実施例５および実施例６の熱搬送装置の要部構成図
【図８】  本発明の実施例７および実施例８の熱搬送装置の要部構成図
【図９】  従来の熱搬送装置の構成図
【符号の説明】
１  熱電気変換手段
２  燃焼手段
３  熱交換手段
４  熱媒強制循環手段
５  放熱手段
６  熱媒通路
７  ガス供給手段
１３  ガス供給開閉手段
１４  フェライト
１５  磁石
１６  制御バネ
１７  ガス噴出ノズル
１８  制御弁
１９  温調可変機構
２０  伝熱部材
２１  熱媒分流通路
２２  分流量調節手段
２３  熱媒分流通路
【図１】
0004123625.tif 000002
【図２】
0004123625.tif 000003
【図３】
0004123625.tif 000004
【図４】
0004123625.tif 000005
【図５】
0004123625.tif 000006
【図６】
0004123625.tif 000007
【図７】
0004123625.tif 000008
【図８】
0004123625.tif 000009
【図９】
0004123625.tif 000010